(57)【要約】【課題】舗装工事を中断することなくノズルの洗浄をすることができる転圧機械を提供する。【解決手段】液体を貯留するタンク(2)と、タンクに貯留される液体(水)を噴霧する噴霧装置(7)と、タンクの液体を流通させるポンプ(11)と、タンクとポンプとで液体を流通させる流通回路(15,115)と、を備えた転圧機械(1)において、噴霧装置に着脱可能なノズル(8)を収納する収納部(13)と、流通回路を流通する液体を収納部に導入する導入回路(51,151)と、を有する。【選択図】図２
2020105816.tif 000002
【特許請求の範囲】
【請求項１】
液体を貯留するタンクと、
前記タンクに貯留される液体を噴霧する噴霧装置と、
前記タンクの液体を流通させるポンプと、
前記タンクと前記ポンプとで液体を流通させる流通回路と、を備えた転圧機械において、
前記噴霧装置に着脱可能なノズルを収納する収納部と、
前記流通回路を流通する液体を前記収納部に導入する導入回路と、を有することを特徴とする転圧機械。
【請求項２】
前記収納部に導入された液体を前記流通回路に戻す戻回路を有する、ことを特徴とする請求項１に記載の転圧機械。
【請求項３】
前記導入回路と前記戻回路とを液体を流通可能に接続するバイパス回路と、
前記導入回路または前記バイパス回路の少なくともいずれか一方に液体を流通させる切替弁と、を有する、ことを特徴とする請求項２に記載の転圧機械。
【請求項４】
機体の外部に液体を排出する排出部を備え、
前記導入回路は、前記流通回路における前記ポンプと前記排出部との間に配設される、ことを特徴とする請求項１に記載の転圧機械。
【請求項５】
前記収納部には、前記導入回路から導入された液体を前記タンクに排水する排水部が設けられる、ことを特徴とする請求項１に記載の転圧機械。
【請求項６】
前記戻回路には、前記収納部に向けて液体が流通することを防止する逆止弁が設けられる、ことを特徴とする請求項２に記載の転圧機械。
【請求項７】
機体の外部に液体を排出する排出部を備え、
前記導入回路は、前記流通回路における前記排出部と前記タンクとの間に配設される、ことを特徴とする請求項２に記載の転圧機械。
【発明の詳細な説明】
【技術分野】
【０００１】
本発明は転圧機械に係り、特に水タンクに貯留される水を利用する技術に関する。
【背景技術】
【０００２】
アスファルト舗装工事においては、タイヤローラ（転圧機械）を用いて締固め作業をすることが一般的である。
この締固め作業には、施工路面に敷かれた凝固前のアスファルトがローラに付着しないよう、タイヤローラに備えられた水タンクに貯留される水をローラに噴霧することが行われている。
【０００３】
しかしながら、タイヤローラ用いるアスファルト舗装工事は、屋外であることが一般的であるため、粉塵等によりノズルが目詰まりを起こし水を噴霧することができなくなることがある。
そこで、水をローラに霧状にして噴霧（散水）するために、特許文献１のような着脱可能なノズルを用い、作業者は、ノズルを複数、予備として備えておくことが考えられる。
【先行技術文献】
【特許文献】
【０００４】
【特許文献１】実開平６−５２９６０号公報
【発明の概要】
【発明が解決しようとする課題】
【０００５】
しかしながら、上記特許文献１に開示される技術では、作業者が予備のノズルを備え忘れた場合や、予備のノズルを使い果たした場合、一度作業を中断してノズルの洗浄を行う必要が生じる虞があった。
【０００６】
このように一度作業を中断してノズルの洗浄を行うことは、アスファルト舗装工事の効率を低下させる虞や、作業を中断している間に路面温度が低下してしまい、アスファルト舗装工事の精度を低下させる虞があった。
【０００７】
本発明はこのような課題に鑑みてなされたものであり、その目的とするところは、舗装工事を中断することなくノズルの洗浄をすることができる転圧機械を提供することにある。
【課題を解決するための手段】
【０００８】
上記の目的を達成するため、本発明の転圧機械は、液体を貯留するタンクと、前記タンクに貯留される液体を噴霧する噴霧装置と、前記タンクの液体を流通させるポンプと、前記タンクと前記ポンプとで液体を流通させる流通回路と、を備えた転圧機械において、前記噴霧装置に着脱可能なノズルを収納する収納部と、前記流通回路を流通する液体を前記収納部に導入する導入回路と、を有することを特徴とする。
【０００９】
これにより、噴霧装置に着脱可能なノズルを収納する収納部と、流通回路を流通する液体を収納部に導入する導入回路とを有することで、流通回路から導入される液体によって収納部に収納されるノズルを洗浄することが可能とされる。
【００１０】
その他の態様として、前記収納部に導入された液体を前記流通回路に戻す戻回路を有するのが好ましい。
これにより、収納部に導入された液体が戻回路によって流通回路に戻るようにすることで、流通回路を流通する液体が収納部を流通するように回路を構成することができるため、収納部に導入される液体の流速及び流量を向上させて良好にノズルを洗浄することが可能とされる。
【００１１】
その他の態様として、前記導入回路と前記戻回路とを液体を流通可能に接続するバイパス回路と、前記導入回路または前記バイパス回路の少なくともいずれか一方に液体を流通させる切替弁と、を有するのが好ましい。
【００１２】
これにより、切替弁によってバイパス回路または導入回路を選択して流通回路を流通する液体を流通させることで、例えば収納部を開閉するときのような収納回路を液体が流通しないようにすべきときは、切替弁によってバイパス回路のみ液体を流通させ、収納部に収納されるノズルを早急に洗浄したいときのような収納回路を流通する液体の流速及び流量を向上させたいときには、切替弁によって収納部にのみ液体を流通させることが可能とされる。
【００１３】
その他の態様として、機体の外部に液体を排出する排出部を備え、前記導入回路は、前記流通回路における前記ポンプと前記排出部との間に配設されるのが好ましい。
これにより、導入回路が流通回路におけるポンプの下流側であって排出部の上流側に配設されることで、排出部から液体が排出される例えば路面散水態様を実施している場合であっても、導入回路から収容部に確実に液体を導入することが可能とされる。
【００１４】
その他の態様として、前記収納部には、前記導入回路から導入された液体を前記タンクに排水する排水部が設けられるのが好ましい。
これにより、収納部に導入された液体を排水部からタンクに排水することで、液体を収納部からタンクに排水して収納部に収納されるノズルを簡単に取り出すことが可能とされる。
【００１５】
その他の態様として、前記戻回路には、前記収納部に向けて液体が流通することを防止する逆止弁が設けられるのが好ましい。
これにより、戻回路に逆止弁を設けて収納部に向けて液体が流通することを防止することで、流通回路から収納部に液体が戻回路を逆流して導入されることを防止することが可能とされる。
【００１６】
その他の態様として、機体の外部に液体を排出する排出部を備え、前記導入回路は、前記流通回路における前記排出部と前記タンクとの間に配設されるのが好ましい。
これにより、導入回路が流通回路における排出部の下流側であってタンクの上流側に配設されることで、収納部内に貯留される液体の排水性を高めることが可能とされる。
【発明の効果】
【００１７】
本発明の転圧機械によれば、噴霧装置に着脱可能なノズルを収納する収納部と、流通回路を流通する液体を収納部に導入する導入回路とを有するようにしたので、流通回路から導入される液体によって収納部に収納されるノズルを洗浄することができる。
これにより、舗装工事を中断することなくノズルの洗浄をすることができる。
【図面の簡単な説明】
【００１８】
【図１】第１実施形態に係るポンプユニットが搭載された機体の側面図である。
【図２】機体左斜め前方から視た操縦席及び第１実施形態に係るポンプユニットの斜視図である。
【図３】第１実施形態に係るノズル洗浄器の斜視図である。
【図４】第１実施形態に係るポンプユニットの回路図である。
【図５】バイパス態様及び循環態様を組み合わせた態様時における第１実施形態に係るポンプユニットの水の流れを説明する説明図である。
【図６】タンク水利用態様、バイパス態様及び路面散水態様を組み合わせた態様時における第１実施形態に係るポンプユニットの水の流れを説明する説明図である。
【図７】ノズル洗浄態様及び循環態様を組み合わせた態様時における第１実施形態に係るポンプユニットの水の流れを説明する説明図である。
【図８】タンク水利用態様、ノズル洗浄態様及び路面散水態様を組み合わせた態様時における第１実施形態に係るポンプユニットの水の流れを説明する説明図である。
【図９】機体左斜め前方から視た操縦席及び第２実施形態に係るポンプユニットの斜視図である。
【図１０】第２実施形態に係るポンプユニットの回路図である。
【発明を実施するための形態】
【００１９】
以下、図面に基づき本発明の一実施形態について説明する。
＜第１実施形態＞
図１を参照すると、第１実施形態に係るポンプユニット９が搭載された機体１の側面図が示されている。
【００２０】
機体１は、水タンク（タンク）２、前輪３、後輪４、操作パネル５、操縦席６、噴霧装置７及びポンプユニット９を備えるタイヤローラ（転圧機械）である。この機体１は、操縦席６に搭乗する作業者が操作パネル５を操作することで前輪３及び後輪４を駆動して機体１を前後進させることが可能である。また、機体１は、噴霧装置７を操作することで水タンク２に貯留される水を前輪３及び後輪４に噴霧して舗装路面に敷かれたアスファルトが前輪３及び後輪４に付着することを抑制することが可能である。またさらに、機体１は、ポンプユニット９を操作することで、水タンク２に貯留される水を機体１後方に散水して路面の温度を下げることが可能である。
【００２１】
水タンク２は、機体１の骨格を形成し、かつ、水を貯留することが可能に形成されたフレーム兼タンクである。
前輪３及び後輪４は、機体１の前部及び後部に設けられる車輪である。この前輪３及び後輪４は、路面との接地面が平面となるように形成されている。
【００２２】
操作パネル５は、機体１の前後方向中央であって上下方向上部に位置し、図示しないエンジンの稼動やＨＳＴ（Hydro Static Transmission）の操作、噴霧装置７及びポンプユニット９の操作などの各種操作を行うことが可能である。
操縦席６は、操作パネル５の機体前後方向後方に位置する座席であり、機体１を操作する作業者が搭乗して着座することが可能である。
【００２３】
噴霧装置７は、例えば図示しない電動ポンプによって水タンク２に貯留される水を前輪３及び後輪４の近傍に設けられる噴霧ノズル（ノズル）８に供給することで水を前輪３及び後輪４に向けて噴霧することが可能な装置である。
【００２４】
図２を参照すると、機体１左斜め前方から視た操縦席６及び第１実施形態に係るポンプユニット９の斜視図が示されている。ポンプユニット９は、水タンク２の上方であって操縦席６の機体左右方向左側に配設されており、水タンク２に水を外部給水ストレーナ２ａ（図４〜８参照）を介して補給（揚水態様）、水タンク２に貯留される水を他機に給水（給水態様）、機体１後方の路面に散水（路面散水態様）及び水タンク２内の水の循環（循環態様）をすることが可能な装置である。そして、ポンプユニット９は、散水口９ａ、ポンプ１１、ノズル洗浄器（収納部）１３及びこれらを連結する配管（流通回路）１５を備えている。
【００２５】
このポンプユニット９は、稼動することで水タンク２に貯留される水を散水口９ａから機体１後方に散水することが可能である（図１参照）。ポンプ１１は、例えば図示しないエンジンの駆動を利用して稼動する油圧駆動式のポンプであり、稼動することで水タンク２から配管１５に水を流通させることが可能である。
【００２６】
図３を参照すると、ノズル洗浄器１３の斜視図が示されている。ノズル洗浄器１３は、ケース２１、蓋部２３及び取付部２５を備える容器であり、噴霧装置７に取付けられた噴霧ノズル８の洗浄を行うことが可能である。
【００２７】
ケース２１は、底部３１及びガラス側面３３を備える容器である。底部３１は、機体上下方向上方から視て円形の平板部材であり、中央に開孔３１ａが設けられている。この開孔３１ａの下方には、排水部３５及び排水弁３７が取り付けられており、排水弁３７を開弁することでノズル洗浄器１３に貯留される水を排水部３５を介して水タンク２に排水することが可能である。
【００２８】
ガラス側面３３は、ケース２１の側面を形成する、底部３１の周縁から上方に向かって延びる円筒状のガラス製部材である。このガラス側面３３は、上端が開口し、内側には、例えば金属製の網３３ａが備えられている。この網３３ａは、噴霧ノズル８がノズル洗浄器１３によって洗浄されることで排出されるゴミ等を集塵することが可能なフィルタである。
【００２９】
蓋部２３は、ケース２１におけるガラス側面３３の上端に着脱自在に取付け可能な蓋部材であり、ガラス側面３３の上端に取付けられることで、ケース２１内を流通する水がケース２１から漏出することを防止することが可能に構成されている。この蓋部２３の上面には、取手２３ａが取り付けられており、取手２３ａを把持して上方に引き上げることで蓋部２３をケース２１から取り外すことが可能である。
【００３０】
取付部２５は、蓋部２３の下面から下方に延びる板状の部材である。この取付部２５には、ストレーナ挿入孔２５ａが複数、上下方向に１列に並んで形成されている。また、取付部２５におけるストレーナ挿入孔２５ａの一部には、係止部２５ｂが形成されている。なお、図示はしないが、噴霧装置７にも係止部２５ｂと同様の係止部が設けられている。
【００３１】
ここで、噴霧ノズル８について説明する。噴霧ノズル８は、チップ８ａ、キャップ８ｂ及びストレーナ８ｃによって構成されており、噴霧装置７や取付部２５の係止部２５ｂに係止することで取付けられる。チップ８ａは、供給される水を例えば円錐状に噴霧することが可能な弁体である。このチップ８ａは、キャップ８ｂの先端に着脱可能に取り付けられている。
【００３２】
キャップ８ｂは、チップ８ａ及びストレーナ８ｃを着脱可能であり、噴霧装置７や取付部２５の係止部２５ｂに係止することが可能な部材である。このキャップ８ｂは、周縁に外方に向かって突出する、つまみ８ｄが形成されている。これにより、作業者は、つまみ８ｄに指をかけてチップ８ａを回動することで、噴霧装置７や取付部２５の係止部２５ｂに係止するキャップ８ｂを簡単に係脱することが可能である。
【００３３】
ストレーナ８ｃは、例えば水タンク２内に混入するゴミや水タンク２に発生する藻、錆等（以降、ゴミ等という）を取り除くフィルタであり、噴霧装置７に取付けられるときは、チップ８ａの内部に収められる。このストレーナ８ｃは、チップ８ａと比較して清掃が容易に形成されている。したがって、ストレーナ８ｃが設けられることで、噴霧ノズル８は、チップ８ａにゴミ等が詰まることを抑制して洗浄を容易にすることができる。ストレーナ８ｃは、取付部２５のストレーナ挿入孔２５ａに挿入して取り付けることが可能である。
【００３４】
したがって、取付部２５は、後述するノズル洗浄態様のとき、噴霧ノズル８をチップ８ａ、キャップ８ｂ及びストレーナ８ｃに分離せずに取り付けることや、分離してストレーナ８ｃをストレーナ挿入孔２５ａに挿入して取り付けることができる。
【００３５】
図４を参照すると、第１実施形態に係るポンプユニット９の回路図が示されている。以下、図２及び図４を参照して第１実施形態に係るポンプユニット９の回路構成について詳しく説明する。
【００３６】
配管１５には、第１吸引配管４１、第１切替弁４１ａ、第２吸引配管４２、第３吸引配管４３、第１吐出配管ユニット（第１回路）４４、排出部４５及び第２吐出配管（第２回路）４６が備えられている。また、配管１５は、水タンク２、外部給水ストレーナ２ａ、ポンプ１１及びノズル洗浄器１３に水を流通可能に接続している。ここで、排出部４５は、給水態様及び路面散水態様を実施するための回路であり、散水口９ａは排出部４５に含まれるものとする。
【００３７】
第１吸引配管４１は、一端が水タンク２に、他端が第１切替弁４１ａに水を流通可能に接続する配管である。第２吸引配管４２は、一端が外部給水ストレーナ２ａに、他端が第１切替弁４１ａに水を流通可能に接続する配管である。第３吸引配管４３は、一端が第１切替弁４１ａに、他端がポンプ１１に水を流通可能に接続する配管である。
【００３８】
第１切替弁４１ａは、第１吸引配管４１と第３吸引配管４３とで水を流通可能なタンク水利用態様または第２吸引配管４２と第３吸引配管４３とで水を流通可能な揚水態様のいずれかに切り替えることが可能な切替弁である。したがって、ポンプ１１が稼動するとき、第１切替弁４１ａがタンク水利用態様に切り替えられると、水タンク２に貯留される水がポンプ１１に流通し、揚水態様に切り替えられると、機体１の外部から外部給水ストレーナ２ａを介して給水される水がポンプ１１に流通する。
【００３９】
第１吐出配管ユニット４４は、図２中の十字配管４９に配設されている。この十字配管４９は、ポンプ１１から流通する水を第１吐出配管ユニット４４に流通させる導入経路４９ａと、第１吐出配管ユニット４４から流通する水を排出部４５に流通させる戻経路４９ｂとを区切りつつひとつの部材とした配管である。
【００４０】
第１吐出配管ユニット４４は、導入配管（導入回路）５１、戻配管（戻回路）５３、バイパス配管（バイパス回路）５５及び第２切替弁（切替弁）５７を備えており、ポンプ１１から吐出される水を排出部４５に流通させることが可能に構成されている。導入配管５１は、一端がノズル洗浄器１３に、他端が第２切替弁５７に水を流通可能に接続する配管である。戻配管５３は、一端がノズル洗浄器１３に、他端が十字配管４９の戻経路４９ｂに水を流通可能に接続する配管である。この戻配管５３には、一端から他端に向けてのみ水を流通させる逆止弁５９が設けられている。バイパス配管５５は、一端が第２切替弁５７に、他端が十字配管４９の戻経路４９ｂに接続する配管である。
【００４１】
第２切替弁５７は、導入配管５１とポンプ１１とで水を流通可能なノズル洗浄態様またはバイパス配管５５とポンプ１１とで水を流通可能なバイパス態様のいずれかに切り替えることが可能な切替弁である。したがって、ポンプ１１が稼動するとき、第２切替弁５７がノズル洗浄態様に切り替えられると、ポンプ１１から流通する水がノズル洗浄器１３に流通し、ノズル洗浄器１３から戻配管５３を介して排出部４５に流通し、バイパス態様に切り替えられると、ポンプ１１から流通する水がバイパス配管５５を介して排出部４５に流通する。ここで、戻配管５３に逆止弁５９が一端から他端に向けてのみ水を流通させるように設けられているため、第２切替弁５７がバイパス態様に切り替えられたときにバイパス配管５５の他端から戻配管５３に流入（逆流）する水がノズル洗浄器１３に流入することを防止することができる。
【００４２】
排出部４５は、散水口９ａ、第１排出配管６１、第２排出配管６２、第３切替弁６３及び第４切替弁６４を備えており、第１吐出配管ユニット４４から流通する水を給水態様や路面散水態様によって機体１の外部に排出し、または第２吐出配管４６に流通させることが可能に構成されている。
【００４３】
第１排出配管６１は、一端が第３切替弁６３に、他端が第４切替弁６４に水を流通可能に接続する配管である。第２排出配管６２は、一端が第３切替弁６３に、他端が他機に水を給水可能に接続する配管である。
【００４４】
第３切替弁６３は、第１吐出配管ユニット４４から流通する水を第１排出配管６１または第２排出配管６２に流通可能に切り替えることが可能な切替弁である。第４切替弁６４は、第１排出配管６１から流通する水を散水口９ａまたは第２吐出配管４６に流通可能に切り替えることが可能な切替弁である。
第２吐出配管４６は、一端が排出部４５に、他端が水タンク２に水を流通可能に接続する配管である。
【００４５】
したがって、第３切替弁６３及び第４切替弁６４は、第１吐出配管ユニット４４と第２排出配管６２とで水を流通させる給水態様、第１排出配管６１と散水口９ａとで水を流通させる路面散水態様または第１吐出配管ユニット４４と第２吐出配管４６を介して水タンク２とで水を流通させる貯留態様のいずれかに切り替えることが可能である。
【００４６】
故に、ポンプ１１が稼動するとき、第３切替弁６３及び第４切替弁６４が給水態様に切り替えられると、第１吐出配管ユニット４４から流通する水が第２排出配管６２を介して他機に流通し、路面散水態様に切り替えられると、第１吐出配管ユニット４４から流通する水が散水口９ａを介して機体１の後方に散水され、貯留態様に切り替えられると、第１吐出配管ユニット４４から流通する水が第２吐出配管４６を介して水タンク２に流通する。
【００４７】
上記した通り、ポンプユニット９は、第１吸引配管４１、第１切替弁４１ａ、第２吸引配管４２及び第３吸引配管４３では、第１切替弁４１ａを切り替えることで揚水態様またはタンク水利用態様のいずれかに、第１吐出配管ユニット４４では、第２切替弁５７を切り替えることでノズル洗浄態様またはバイパス態様に、排出部４５では、第３切替弁６３及び第４切替弁６４を切り替えることで給水態様、路面散水態様または貯留態様に、それぞれ独立して切り替えることができる。以下、揚水態様と貯留態様とを組み合わせた態様を補給態様、タンク水利用態様と貯留態様とを組み合わせた態様を循環態様という。
【００４８】
図５を参照すると、バイパス態様及び循環態様を組み合わせた態様時（以下、図５の態様時という）における第１実施形態に係るポンプユニット９の水の流れを説明する説明図が示されている。また、図６を参照すると、タンク水利用態様、バイパス態様及び路面散水態様を組み合わせた態様時（以下、図６の態様時という）における第１実施形態に係るポンプユニット９の水の流れを説明する説明図が示されている。
【００４９】
図５の態様時、水タンク２に貯留される水は、第１吸引配管４１、第１切替弁４１ａ、第３吸引配管４３、ポンプ１１、第２切替弁５７、バイパス配管５５、第３切替弁６３、第１排出配管６１、第４切替弁６４及び第２吐出配管４６を流通して水タンク２に戻る。換言すると、図５の態様時、水タンク２に貯留される水は、ノズル洗浄器１３に流通しない。
【００５０】
したがって、ポンプユニット９を循環態様にしつつノズル洗浄器１３の蓋部２３及び取付部２５をケース２１から取り外した場合であっても、水がノズル洗浄器１３から漏水することを防止することができる。このとき、ノズル洗浄器１３に水が貯留されている状態であっても、排水弁３７を開弁することで水を水タンク２に排水することができるので、蓋部２３及び取付部２５の取り外しをより簡単に行うことができる。ここで、第１切替弁４１ａを切り替えて揚水態様にした場合であっても、第１切替弁４１ａより下流側の回路の態様が図５の態様時と同じなので、水はノズル洗浄器１３に流通しない。
【００５１】
また、図６の態様時について鑑みると、図５の態様時との差異は、第４切替弁６４から散水口９ａに水が流通して機体１の後方に散水される点である。換言すると、図６の態様時も図５の態様時と同様に、水タンク２に貯留される水は、ノズル洗浄器１３に流通しない。したがって、ポンプユニット９をタンク水利用態様及び路面散水態様にしつつノズル洗浄器１３の蓋部２３及び取付部２５をケース２１から取り外した場合であっても、水がノズル洗浄器１３から漏水することを防止することができる。ここで、第１切替弁４１ａを切り替えて揚水態様にした場合であっても、第１切替弁４１ａより下流側の回路の態様が図６の態様時と同じなので、水はノズル洗浄器１３に流通しない。
【００５２】
これにより、ポンプユニット９は、第１吐出配管ユニット４４がバイパス態様であれば、その他の態様がどのような態様であっても、水がノズル洗浄器１３に流通することを防止することができる。
【００５３】
図７を参照すると、ノズル洗浄態様及び循環態様を組み合わせた態様時（以下、図７の態様時という）における第１実施形態に係るポンプユニット９の水の流れを説明する説明図が示されている。また、図８を参照すると、タンク水利用態様、ノズル洗浄態様及び路面散水態様を組み合わせた態様時（以下、図８の態様時という）における第１実施形態に係るポンプユニット９の水の流れを説明する説明図が示されている。
【００５４】
図７の態様時、水タンク２に貯留される水は、第１吸引配管４１、第１切替弁４１ａ、第３吸引配管４３、ポンプ１１、第２切替弁５７、導入配管５１、ノズル洗浄器１３、戻配管５３、第３切替弁６３、第１排出配管６１、第４切替弁６４及び第２吐出配管４６を流通して水タンク２に戻る。換言すると、図７の態様時、水タンク２に貯留される水は、ノズル洗浄器１３に流通する。
【００５５】
したがって、図５の態様と同様にポンプユニット９を循環態様にしつつノズル洗浄器１３に水を流通させて噴霧ノズル８を洗浄することができる。このとき、排水弁３７を閉弁することで水を水タンク２に排水することを防止して、ノズル洗浄器１３の取付部２５に取付けた噴霧ノズル８をより良好に洗浄することができる。ここで、第１切替弁４１ａを切り替えて揚水態様にした場合であっても、第１切替弁４１ａより下流側の回路の態様が図７の態様時と同じなので、水はノズル洗浄器１３に流通する。
【００５６】
また、図８の態様時について鑑みると、図７の態様時との差異は、第４切替弁６４から散水口９ａに水が流通して機体１の後方に散水される点である。換言すると、図８の態様時も図７の態様時と同様に、水タンク２に貯留される水は、ノズル洗浄器１３に流通する。したがって、ポンプユニット９をタンク水利用態様及び路面散水態様にしつつノズル洗浄器１３に水を流通させて噴霧ノズル８を洗浄することができる。ここで、第１切替弁４１ａを切り替えて揚水態様にした場合であっても、第１切替弁４１ａより下流側の回路の態様が図８の態様時と同じなので、水はノズル洗浄器１３に流通する。
【００５７】
これにより、ポンプユニット９は、第１吐出配管ユニット４４がノズル洗浄態様であれば、その他の態様がどのような態様であっても、水をノズル洗浄器１３に流通させて噴霧ノズル８を洗浄することができる。
【００５８】
したがって、第１実施形態に係るポンプユニット９は、ノズル洗浄器１３が備えられることで、噴霧装置７の噴霧ノズル８を洗浄することができる。また、第２切替弁５７を切り替えることでノズル洗浄器１３に水を流通させ、または流通することを防止しつつ、他の態様を実施することができる。
【００５９】
以上説明したように、第１実施形態に係る転圧機械では、水を貯留する水タンク２と、水タンク２に貯留される水を噴霧する噴霧装置７と、水タンク２の水を流通させるポンプ１１と、水タンク２とポンプ１１とで水を流通させる配管１５とを備えた機体１において、噴霧装置７に着脱可能な噴霧ノズル８を収納するノズル洗浄器１３と、配管１５を流通する水をノズル洗浄器１３に導入する導入配管５１とを有する。
【００６０】
従って、噴霧装置７に着脱可能な噴霧ノズル８を収納するノズル洗浄器１３と、配管１５を流通する水をノズル洗浄器１３に導入する導入配管５１とを有するようにしたので、配管１５から導入される水によってノズル洗浄器１３に収納される噴霧ノズル８を洗浄することができる。
【００６１】
これにより、舗装工事を中断することなく噴霧ノズル８の洗浄をすることができ、常に洗浄済みの噴霧ノズル８を作業者に提供することができる。
【００６２】
そして、ノズル洗浄器１３に導入された水を配管１５に戻す戻配管５３を有するので、配管１５を流通する水がノズル洗浄器１３を流通するように配管１５を構成することができるため、ノズル洗浄器１３に導入される水の流速及び流量を向上させて良好に噴霧ノズル８を洗浄することができる。
【００６３】
そして、導入配管５１と戻配管５３とを水を流通可能に接続するバイパス配管５５と、導入配管５１またはバイパス配管５５の少なくともいずれか一方に水を流通させる第２切替弁５７とを有する。
【００６４】
従って、第２切替弁５７によってバイパス配管５５または導入配管５１を選択して配管１５を流通する水を流通させるようにしたので、例えばノズル洗浄器１３を開閉するときのような収納回路を水が流通しないようにすべきときは、第２切替弁５７によってバイパス配管５５のみ水を流通させ、ノズル洗浄器１３に収納される噴霧ノズル８を早急に洗浄したいときのような収納回路を流通する水の流速及び流量を向上させたいときには、第２切替弁５７によってノズル洗浄器１３にのみ水を流通させることができる。
【００６５】
そして、機体１の外部に水を排出する排出部４５を備え、導入配管５１は、配管１５におけるポンプ１１と排出部４５との間に配設される。
従って、導入配管５１が配管１５におけるポンプ１１の下流側であって排出部４５の上流側に配設されたので、排出部４５から水が排出される例えば路面散水態様を実施している場合であっても、導入配管５１から収容部に確実に水を導入することができる。
【００６６】
そして、ノズル洗浄器１３には、導入配管５１から導入された水を水タンク２に排水する排水部３５が設けられたので、水をノズル洗浄器１３から水タンク２に排水してノズル洗浄器１３に収納される噴霧ノズル８を簡単に取り出すことができる。
【００６７】
そして、戻配管５３には、ノズル洗浄器１３に向けて水が流通することを防止する逆止弁５９が設けられる。
従って、戻配管５３に逆止弁５９を設けてノズル洗浄器１３に向けて水が流通することを防止したので、配管１５からノズル洗浄器１３に水が戻配管５３を逆流して導入されることを防止することができる。
【００６８】
＜第２実施形態＞
以下、図９，１０に基づき第２実施形態について説明する。
なお、上記第１実施形態と共通の構成、作用効果については説明を省略し、ここでは第１実施形態と異なる部分について説明する。
【００６９】
図９を参照すると、機体１左斜め前方から視た操縦席６及び第２実施形態に係るポンプユニット１０９の斜視図が示されている。また、図１０を参照すると、第２実施形態に係るポンプユニット１０９の回路図が示されている。
【００７０】
第１実施形態に係るポンプユニット９と第２実施形態に係るポンプユニット１０９との差異は、第１実施形態における第１吐出配管ユニット４４に相当する第２吐出配管ユニット１４６が第１実施形態における第２吐出配管４６に配設されている点、換言すると、ノズル洗浄器１３に水を導入する導入配管１５１が配管（流通回路）１１５における排出部４５と水タンク２との間に配設されている点にある。
【００７１】
具体的には、第２実施形態に係るポンプユニット１０９の配管１１５には、第１吸引配管４１、第１切替弁４１ａ、第２吸引配管４２、第３吸引配管４３、第１吐出配管１４４、排出部４５及び第２吐出配管ユニット１４６が備えられている。
第１吐出配管１４４は、一端がポンプ１１に、他端が排出部４５に水を流通可能に接続する配管である。
【００７２】
第２吐出配管ユニット１４６は、導入配管（導入回路）１５１、戻配管（戻回路）１５３、バイパス配管（バイパス回路）１５５及び第５切替弁（切替弁）１５７を備えており、排出部４５から流通する水を水タンク２に流通させることが可能に構成されている。導入配管１５１は、一端がノズル洗浄器１３に、他端が第５切替弁１５７に水を流通可能に接続する配管である。戻配管１５３は、一端がノズル洗浄器１３に、他端が水タンク２の上端に水を流通可能に接続する配管である。バイパス配管１５５は、一端が第５切替弁１５７に、他端が水タンク２の上端に水を流通可能に接続する配管である。
【００７３】
第５切替弁１５７は、導入配管１５１とポンプ１１とで水を流通可能なノズル洗浄態様またはバイパス配管１５５とポンプ１１とで水を流通可能なバイパス態様のいずれかに切り替えることが可能な切替弁である。
【００７４】
したがって、ポンプ１１が稼動するとき、第５切替弁１５７がノズル洗浄態様に切り替えられると、ポンプ１１から流通する水がノズル洗浄器１３に流通し、ノズル洗浄器１３から戻配管１５３を介して排出部４５に流通し、バイパス態様に切り替えられると、ポンプ１１から流通する水がバイパス配管１５５を介して排出部４５に流通する。
【００７５】
ここで戻配管１５３には、第１実施形態における逆止弁５９が設けられていない。また、ノズル洗浄器１３には、排水部３５及び排水弁３７が設けられていない。
【００７６】
ポンプユニット１０９は、戻配管１５３の他端が水タンク２の上端に接続されているため、一端（ノズル洗浄器１３）に水が逆流する虞がないので逆止弁５９が不要であり、戻配管１５３から水タンク２に重力によって水が排水されるため、排水部３５及び排水弁３７もまた不要である。
したがって、第２実施形態に係るポンプユニット１０９では、逆止弁５９、排水部３５及び排水弁３７を廃止して、配管１１５を簡単な構成にすることができる。
【００７７】
以上説明したように、第２実施形態に係る転圧機械では、機体１の外部に水を排出する排出部４５を備え、導入配管５１は、配管１５における排出部４５と水タンク２との間に配設される。
従って、導入配管５１が配管１５における排出部４５の下流側であって水タンク２の上流側に配設されたので、ノズル洗浄器１３内に貯留される水の排水性を高めることができる。
【００７８】
このようにノズル洗浄器１３内に貯留される水の排水性を高めることで、逆止弁５９、排水部３５及び排水弁３７を廃止して、簡単な構成で安価な配管１１５を構成することができる。
【００７９】
以上で本発明に係る転圧機械の説明を終えるが、本発明は上記実施形態に限られるものではなく、発明の主旨を逸脱しない範囲で変更可能である。
例えば、本実施形態では、液剤として水を用いて説明したが、アスファルト付着剤を混合させた液剤であってもよい。
【００８０】
また、本実施形態では、噴霧装置７に用いる噴霧ノズル８の洗浄について説明したが、散水口９ａに取付けられるノズルを洗浄するようにしてもよい。
【００８１】
また、本実施形態では、第２切替弁５７，１５７は導入配管５１、１５１またはバイパス配管５５、１５５の一方を選択するようにしたが、双方に水が流れるよう調量可能な弁を用いるようにしてもよい。
【００８２】
また、本実施形態では、ケース２１の側面に、底部３１の周縁から上方に向かって延びる円筒状のガラス製部材であるガラス側面３３を用いて説明したが、透明なアクリル樹脂等のガラス以外の材質のものを用いてもよく、透過性の低い材質のものを用いるようにしてもよい。
【符号の説明】
【００８３】
１  機体（転圧機械）
２  水タンク（タンク）
７  噴霧装置
８  噴霧ノズル（ノズル）
１３  ノズル洗浄器（収納部）
１５、１１５  配管（流通回路）
４１ａ  第１切替弁
４４  第１吐出配管ユニット（第１回路）
４５  排出部
４６  第２吐出配管（第２回路）
３５  排水部
５１、１５１  導入配管（導入回路）
５３、１５３  戻配管（戻回路）
５５、１５５  バイパス配管（バイパス回路）
５７、１５７  第２切替弁（切替弁）
【図１】
2020105816.tif 000003
【図２】
2020105816.tif 000004
【図３】
2020105816.tif 000005
【図４】
2020105816.tif 000006
【図５】
2020105816.tif 000007
【図６】
2020105816.tif 000008
【図７】
2020105816.tif 000009
【図８】
2020105816.tif 000010
【図９】
2020105816.tif 000011
【図１０】
2020105816.tif 000012